(57)【要約】【課題】ガンを斜めにしても、粉体塗料Ａの流動性が保て、ガンからの粉体塗料の息継ぎ現象を起こさず、吐出量の安定した粉体塗装用カップガンを提供しようとするものである。【解決手段】塗料カップ１２の下部を下方に向かって先細り形状に形成し、この先細り形状の先端に、塗料カップ１２内の粉体塗料を流動させる流動エアーの取り入れ口を設け、この取り入れ口に多孔質パッド１５を設置し、ガンを傾けても、先細り形状の塗料カップ１２の先端の多孔質パッド１５が粉体塗料によって覆われるようにした。【選択図】図２
2008155149.tif 000002
【特許請求の範囲】
【請求項１】
ガンの下部に塗料カップを設置し、この塗料カップ内に吸引管を挿し入れ、ガンから吐出するエアーの吸引力により吸引管から塗料カップ内の粉体塗料を吸引して、ガン先から吐出エアーと共に粉体塗料を吐出する粉体塗装用カップガンにおいて、上記塗料カップの下部を下方に向かって先細り形状に形成し、この先細り形状の先端に、塗料カップ内の粉体塗料を流動させる流動エアーの取り入れ口を設け、この取り入れ口に多孔質パッドを設置したことを特徴とする粉体塗装用カップガン。
【請求項２】
上記流動エアーの取り入れ口から自然エアーを塗料カップ内に流入させる請求項１記載の粉体塗装用カップガン。
【請求項３】
上記流動エアーの取り入れ口から強制エアーを塗料カップ内に流入させる請求項１記載の粉体塗装用カップガン。
【請求項４】
上記塗料カップに、塗料カップ内のエアー圧を調整する調整口を設けた請求項１〜３のいずれかの項に記載の粉体塗装用カップガン。
【発明の詳細な説明】
【技術分野】
【０００１】
この発明は、ガンの下部に塗料カップを設置し、この塗料カップ内に吸引管を挿し入れ、ガンから吐出するエアーの吸引力により吸引管から塗料カップ内の粉体塗料を吸引して、ガン先から吐出エアーと共に粉体塗料を吐出する、手持ち式の塗料カップ付き粉体塗装ガンに関するものである。
【背景技術】
【０００２】
粉体塗装は、有機溶剤を含まず環境にやさしい塗装として水性塗装と同様に期待されている。
【０００３】
ところで、小ロットの粉体塗装を行う場合や、粉体塗装のテストピースを作成する場合に、塗料タンクから粉体ホースを介して粉体塗料をガンに供給する通常の粉体塗装装置を用いると、小ロットの色替え毎に、塗料タンクの清掃、粉体ホースの清掃又は交換、ガンの清掃といった色替の手順を頻繁に行なう必要がある。
【０００４】
このため、小ロットの粉体塗装を行う場合や、粉体塗装のテストピースを作成する場合には、ガンの下部に塗料カップが直接取り付けられた手持ち式の塗料カップ付き粉体塗装ガンが使用されることが多い。この塗料カップ付きの粉体塗装ガン、即ち、粉体塗装用カップガンは、粉体ホースがなく、色替えが簡単であるから、小ロットの粉体塗装を行う場合や、粉体塗装のテストピースを作成する場合に使用すると好都合である。
【発明の開示】
【発明が解決しようとする課題】
【０００５】
従来の粉体塗装用カップガンは、図４に示すように、ガン１の下部に塗料カップ２を設置し、この塗料カップ２内に吸引管３を挿し入れ、ガン１にインジェクター４によって吐出エアーを供給し、ガン１から吐出するエアーの吸引力により吸引管３から塗料カップ２内の粉体塗料Ａを吸引して、ガン先から吐出エアーと共に粉体塗料を吐出する構造になっている。
【０００６】
上記塗料カップ２の底面は、塗料カップ２内の粉体塗料を流動させる流動エアーを取り入れるために、多孔質板５によって形成されている。上記塗料カップ２の多孔質板５は、円筒形をした塗料カップ２の胴部下面の平坦面の全面に設置されている。
【０００７】
ところで、手持ち式の粉体塗装用カップガンは、被塗装物の裏面を塗装するような場合に、図５に示すように、ガンを斜めにして塗装作業を行うことがある。
【０００８】
ところが、ガンを斜めにすると、塗料カップ２内の粉体塗料Ａはあたかも水のような状態で流動しているため、塗料カップ２の底面の多孔質板５の上面を滑り、ガンの傾斜が大きくなると、図５に示すように、多孔質板５の端の部分に粉体塗料Ａがなく、多孔質板５が露出する部分が生じる。
【０００９】
このように多孔質板５の一部に、粉体塗料Ａが載っていない露出部分が形成されると、この部分からエアーが抵抗なく流入し、粉体塗料Ａが載った部分からはエアーが流入し難くなるため、粉体塗料Ａが流動しなくなり、ガンからの粉体塗料の吐出が息継ぎ現象を起こしたり、吐出量が不安定になり、塗装にスケが生じたりするという問題があった。
【００１０】
そこで、この発明は、ガンを斜めにしても、粉体塗料の流動性が保て、ガンからの粉体塗料の息継ぎ現象を起こさず、吐出量の安定した粉体塗装用カップガンを提供しようとするものである。
【課題を解決するための手段】
【００１１】
上記の課題を解決するために、この発明は、ガンの下部に塗料カップを設置し、この塗料カップ内に吸引管を挿し入れ、ガンから吐出するエアーの吸引力により吸引管から塗料カップ内の粉体塗料を吸引して、ガン先から吐出エアーと共に粉体塗料を吐出する粉体塗装用カップガンにおいて、上記塗料カップの下部を下方に向かって先細り形状に形成し、この先細り形状の先端に、塗料カップ内の粉体塗料を流動させる流動エアーの取り入れ口を設け、この取り入れ口に多孔質パッドを設置したのである。
【００１２】
上記のように、塗料カップの下部を下方に向かって先細り形状に形成すると、先細り形状に沿って塗料カップの下部に粉体塗料が集まるので、ガンを傾けても、先細り形状の塗料カップの先端の多孔質パッドが粉体塗料によって覆われた状態となり、多孔質パッドが露出せず、多孔質パッドから流入するエアーによって塗料カップ内の粉体塗料が流動する。
【発明の効果】
【００１３】
この発明によれば、以上のように、ガンを傾けても、流動エアーが流入する先細り形状の塗料カップの先端に設置された多孔質パッドが粉体塗料によって覆われた状態となるため、粉体塗料の流動性が保て、ガンからの粉体塗料の息継ぎ現象を起こさず、安定した吐出量が得られる。
【発明を実施するための最良の形態】
【００１４】
図１は、この発明に係る粉体塗装用カップガンの第１の実施形態を示している。
この発明に係る粉体塗装用カップガンは、図１に示すように、ガン１1の下部に塗料カップ１２を設置し、この塗料カップ１２内に吸引管１３を挿し入れ、ガン１1にインジェクター１４によって吐出エアーを供給し、ガン１1から吐出するエアーの吸引力により吸引管１３から塗料カップ１２内の粉体塗料Ａを吸引して、ガン先から吐出エアーと共に粉体塗料を吐出する構造になっている。
【００１５】
上記塗料カップ１２の下部は、下方に向かって先細り形状に形成されている。この先細り形状の塗料カップ１２の下部先端には、塗料カップ１２内の粉体塗料を流動させる流動エアーの取り入れ口を設け、この取り入れ口に多孔質パッド１５を設置したのである。
【００１６】
塗料カップ１２の下部は、先細り形状であるため、粉体塗料Ａは塗料カップ１２の下部に集まり、塗料カップ１２に挿し入れられた吸引管１３の先端が塗料カップ１２の下部の粉体塗料Ａ内に位置する。
【００１７】
ガン１1から吐出するエアーの吸引力により吸引管１３から塗料カップ１２内の粉体塗料Ａが吸引されると、この吸引量に応じて塗料カップ１２の下部先端の多孔質パッド１５からエアーが塗料カップ１２内に流入し、この流入エアーにより塗料カップ１２の下部の粉体塗料Ａが流動する。図１には、流入エアーの状態を矢印Ｂで示し、粉体塗料Ａの流動状態を矢印Ｃで示している。
【００１８】
上記のように、多孔質パッド１５の部分から自然エアーを流入させ、塗料カップ１２内の粉体塗料Ａを自然流動させるようにしてもよいが、塗料カップ１２内の粉体塗料Ａの流動をより良くするために、ガンのトリガーのＯＮ−ＯＦＦに連動して、多孔質パッド１５の下方から強制エアー１６を流入させるようにしてもよい。
強制エアー１６は、一般に除湿除油されたコンプレッサー圧縮空気を使用する。例えば、温湿度に敏感な粉体塗料や、塗料メーカーにてテストピースを作成し、その性能試験を行なうような場合には、できる限り外気を含んだ粉体塗装をしない為に、このような強制エアーが好ましい。
【００１９】
次に、吸引管１３からの粉体塗料Ａの吸引作用は、粉体塗料の吐出量及び搬送エアーによって、即ち、ガン１1のグリップの下方に設けられたベンチュリー効果によるインジェクター１４（メインエアー１７）とそのインジェクター１４内又は別に設けられた搬送エアー（サブエアー１８）により得られる。図１の実施例では、サブエアー１８はガン本体入口部に粉体塗料の流れとほぼ並行に入るように設置した。また、この実施例ではこのインジェクター１４以外に、多孔質パッド１５からの強制エアー１６のエアー圧、量によっても吐出量の設定ができる。塗料カップ１２内の圧力、量がインジェクター１４の吸引圧力、量より多くすると、塗料カップ１２内は加圧（プラス圧）となり、吐出量を増やすことができる。つまり粉体塗料Ａを塗料カップ１２から押し出すことができる。
【００２０】
また、図３に示すように、塗料カップ１２の上部に空気の出入のための空気調整弁１９を取り付けることにより、吐出量の調整は塗料カップ１２内のエアー圧力を微妙にコントロールすることができるので、吐出量の設定幅が容易になる。
【００２１】
また、別な方法としてこの空気調整弁１９から加圧エアーを入れることにより、塗料カップ１２内の圧力を大きくすることにより、大吐出量のものを提供することもできる。
【００２２】
この発明に係る粉体塗装用カップガンは、塗料カップ１２の下部を先細り形状とし、その先端に多孔質パッド１５が設置してあるために、この箇所が露出しない角度までガンを傾けても塗装が可能である。また塗料カップ１２内が先細り形状に傾斜しているために、粉体塗料量が少なくなっても、図２に示すように、塗料カップ１２の下部の中心部に、多孔質パッド１５からの流動エアーとの相乗効果により粉体塗料Ａが集まりやすく、安息角の大きい、つまり、流動性の悪い粉体塗料Ａの場合でも、安定した流動化現象が得られ、安定した塗装が行える。
【図面の簡単な説明】
【００２３】
【図１】この発明に係る粉体塗装用カップガンの一実施形態を示す一部切り欠き側面図である。
【図２】図１の粉体塗装用カップガンを斜めにした状態を示す側面図である。
【図３】この発明に係る粉体塗装用カップガンの他の実施形態を示す一部切り欠き側面図である。
【図４】従来の粉体塗装用カップガンを示す一部切り欠き側面図である。
【図５】図４の粉体塗装用カップガンを斜めにした状態を示す側面図である。
【符号の説明】
【００２４】
１１  ガン
１２  塗料カップ
１３  吸引管
１４  インジェクター
１５  多孔質パッド
１６  強制エアー
１７  メインエアー
１８  サブエアー
１９  空気調整弁
【図１】
2008155149.tif 000003
【図２】
2008155149.tif 000004
【図３】
2008155149.tif 000005
【図４】
2008155149.tif 000006
【図５】
2008155149.tif 000007